(57)【要約】【課題】  効果的な消臭及び芳香機構を備えた靴を提供することである。【解決手段】  かかと部（１２）内に設けられた空洞（１４）と、空洞の底部に配置されたクッション材（１６）と、空洞の内部に収容された消臭剤入り容器（１８）とを備え、容器が、直径が空洞の径よりも小さく、空洞の内部への配置時に上端が空洞の上端よりも僅かに下方に位置するような高さを有しており、履いて歩行すると、空洞内で容器が上下動するように構成されていることを特徴とする消臭及び芳香機構付き靴（１０）が提供される。【選択図】  図１
2014014540.tif 000002
【特許請求の範囲】
【請求項１】
かかと部内に設けられた空洞と、
前記空洞の底部に配置されたクッション材と、
前記空洞の内部に収容された消臭剤入り容器とを備え、
前記容器が、直径が前記空洞の径よりも小さく、前記空洞の内部への配置時に上端が前記空洞の上端よりも僅かに下方に位置するような高さを有しており、
履いて歩行すると、前記空洞内で前記容器が上下動するように構成されていることを特徴とする消臭及び芳香機構付き靴。
【請求項２】
かかと部内に設けられた空洞と、
底部にクッション材が取り付けられ、前記空洞の内部に収容された消臭剤入り容器とを備え、
前記容器が、直径が前記空洞の径よりも小さく、前記空洞の内部への配置時に上端が前記空洞の上端よりも僅かに下方に位置するような高さを有しており、
履いて歩行すると、前記空洞内で前記容器が上下動するように構成されていることを特徴とする消臭及び芳香機構付き靴。
【請求項３】
かかと部内に設けられた空洞と、
前記空洞の内部に収容された消臭剤入り容器とを備え、
前記容器の下端が、ピンによって前記空洞の底部に揺動可能に取り付けられており、
履いて歩行すると、前記空洞内で前記容器が前後に揺動するように構成されていることを特徴とする消臭及び芳香機構付き靴。
【発明の詳細な説明】
【技術分野】
【０００１】
本発明は、消臭及び芳香機構が組み込まれた靴に関する。
【背景技術】
【０００２】
靴を履くと、靴の中がほぼ密閉状態になり、汗もかくため、臭いがこもったり悪臭が発生したりして、不快感をもよおすことが多い。また、靴を脱いでも、悪臭が靴下や足に移っていたりすると、不快感が持続することとなる。
【発明の開示】
【発明が解決しようとする課題】
【０００３】
靴の中の悪臭を回避するため、例えば、消臭効果のある中敷などが市販されているが、靴自体に効果的な消臭及び芳香機構が組み込まれたものは見受けられない。
【０００４】
本発明は、このような現状に鑑みて開発されたものであって、効果的な消臭及び芳香機構を備えた靴を提供することを目的としている。
【課題を解決するための手段】
【０００５】
本願請求項１に記載の消臭及び芳香機構付き靴は、かかと部内に設けられた空洞と、前記空洞の底部に配置されたクッション材と、前記空洞の内部に収容された消臭剤入り容器とを備え、前記容器が、直径が前記空洞の径よりも小さく、前記空洞の内部への配置時に上端が前記空洞の上端よりも僅かに下方に位置するような高さを有しており、履いて歩行すると、前記空洞内で前記容器が上下動するように構成されていることを特徴とするものである。
【０００６】
本願請求項２に記載の消臭及び芳香機構付き靴は、かかと部内に設けられた空洞と、底部にクッション材が取り付けられ、前記空洞の内部に収容された消臭剤入り容器とを備え、前記容器が、直径が前記空洞の径よりも小さく、前記空洞の内部への配置時に上端が前記空洞の上端よりも僅かに下方に位置するような高さを有しており、履いて歩行すると、前記空洞内で前記容器が上下動するように構成されていることを特徴とするものである。
【０００７】
本願請求項３に記載の消臭及び芳香機構付き靴は、かかと部内に設けられた空洞と、前記空洞の内部に収容された消臭剤入り容器とを備え、前記容器の下端が、ピンによって前記空洞の底部に揺動可能に取り付けられており、履いて歩行すると、前記空洞内で前記容器が前後に揺動するように構成されていることを特徴とするものである。
【発明の効果】
【０００８】
本発明の消臭及び芳香機構付き靴によれば、履いて歩行すると、消臭剤入り容器が上下動又は揺動して消臭剤又は芳香剤の発散を促進するので、靴内を効果的に消臭又は芳香状態に置くことができる。本発明の消臭及び芳香機構付き靴においては、消臭剤入り容器を交換することにより、長期間、消臭機能を発揮させることが可能である。本発明の消臭及び芳香機構付き靴は、比較的簡単な構造であるため、故障することもなく、低コストで提供することができる。
【図面の簡単な説明】
【０００９】
【図１】図１は、本発明の第１の実施形態に係る消臭及び芳香機構付き靴の全体を示した図である。
【図２】図２（ａ）は、図１の部分２ａの拡大図、図２（ｂ）は、図２（ａ）の消臭剤入り容器が上昇して中敷に当たっている状態を示した図である。
【図３】図３（ａ）は、本発明の第２の実施形態に係る消臭及び芳香機構付き靴を示した図２（ａ）と同様の図、図３（ｂ）は、図３（ａ）の消臭剤入り容器が上昇して中敷に当たっている状態を示した図である。
【図４】図４（ａ）は、本発明の第３の実施形態に係る消臭及び芳香機構付き靴を示した図２（ａ）と同様の図、図４（ｂ）は、消臭剤入り容器が揺動する状態を示した図、図４（ｃ）〜図４（ｅ）は、ピン３６の構造の例を示した図である。
【発明を実施するための形態】
【００１０】
次に図面を参照して、本発明の好ましい実施の形態に係る消臭及び芳香機構付き靴について詳細に説明する。図１は、本発明の第１の実施の形態に係る消臭及び芳香機構付き靴を示した全体図、図２（ａ）は、図１の部分２ａの拡大図である。図１において全体として参照符号１０で示される本発明の第１の実施の形態に係る消臭及び芳香機構付き靴は、かかと部（ヒール）１２内に設けられた空洞１４を備えている。空洞１４は、上端が靴の内部に開放している。空洞１４は通常、中敷で被覆されている。
【００１１】
空洞１４の底部には、クッション材１６が配置されている。クッション材１６としては、スポンジのような公知の適当な材料を用いてもよい。
【００１２】
消臭及び芳香機構付き靴１０はまた、空洞１４の内部に収容された消臭剤入り容器１８を備えている。消臭剤入り容器１８は、適当な消臭剤又は芳香剤が充填された筒状の容器である。消臭剤入り容器１８は、直径が空洞１４の径よりも小さく、空洞１４の内部への配置時に上端が空洞１２の上端よりも僅かに（例えば、数ｍｍ〜約１ｃｍ）下方に位置するような高さを有する。これにより、消臭及び芳香機構付き靴１０を履いて歩行すると、空洞１４内で消臭剤入り容器１８が上下動し、消臭剤又は芳香剤が発散し易いようになっている。
【００１３】
図３は、本発明の第２の実施の形態に係る消臭及び芳香機構付き靴を示した図である。本発明の第２の実施の形態に係る消臭及び芳香機構付き靴２０は、クッション材２６が空洞２４の底部ではなく、消臭剤入り容器２８の下端に取り付けられている点を除いて、消臭及び芳香機構付き靴１０と実質的に同一の構成を有している。
【００１４】
すなわち、消臭及び芳香機構付き靴２０は、かかと部（ヒール）２２内に設けられた空洞２４と、空洞２４の内部に収容された消臭剤入り容器２８と、消臭剤入り容器２８の下端に取り付けられたクッション材２６とを備えている。消臭剤入り容器２８は、消臭剤入り容器１８と同様に、直径が空洞２４の径よりも小さく、空洞２４の内部への配置時に上端が空洞２４の上端よりも僅かに（例えば、数ｍｍ〜約１ｃｍ）下方に位置するような高さを有する。
【００１５】
図４は、本発明の第３の実施の形態に係る消臭及び芳香機構付き靴を示した図である。本発明の第３の実施の形態に係る消臭及び芳香機構付き靴３０は、かかと部（ヒール）３２内に設けられた空洞３４と、空洞３４の内部に収容された消臭剤入り容器３８とを備え、消臭剤入り容器３８の下端が、ピン３６によって空洞３４の底部に揺動可能に取り付けられている。これにより、消臭及び芳香機構付き靴３０を履いて歩行すると、空洞３４内で消臭剤入り容器２８が前後に揺動し（図４（ｂ）参照）、消臭剤又は芳香剤が発散し易いようになっている。
【００１６】
図４（ｃ）〜図４（ｅ）は、ピン３６の一例を示した図である。図４（ｃ）〜図４（ｅ）に示されるピン３６は、消臭剤入り容器３８の下端に取り付けられた突出部３６ａと、突出部３６ａから両側に突き出た突起３６ａ１と、空洞３４の底部に取り付けられた一対の突出部３６ｂと、各突出部３６ｂに設けられた開口３６ｂ１とを有し、突起３６ａ１を開口３６ｂ１に嵌め込むことにより、消臭剤入り容器３８が空洞３４の底部に揺動可能に取り付けられている。なお、図４（ｃ）はピンを示した拡大図、図４（ｄ）は図４（ｃ）の線４ｄ−４ｄに沿って見た図、図４（ｅ）は消臭剤入り容器３８をピン３６から取り外した状態を示した図である。ピン３６は、消臭剤入り容器３８を揺動可能に取り付けることができるものであれば、図示した以外の構造を採用してもよい。
【００１７】
次に、以上のように構成された消臭及び芳香機構付き靴１０、２０、３０の使用法について説明する。消臭及び芳香機構付き靴１０、２０、３０を履いて歩行すると、消臭及び芳香機構付き靴１０、２０では消臭剤入り容器１８、２８が空洞１４、２４内で上下動し、消臭及び芳香機構付き靴３０では消臭剤入り容器３８が空洞３４内で前後に揺動することにより、消臭剤入り容器１８、２８、３８内の消臭剤又は芳香剤が発散して、靴中に充満したり中敷に浸透したりして、靴の中の不快な臭いを消したり芳香を漂わせたりすることができる。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
なお、消臭剤入り容器１８、２８、３８は、交換可能なものを使用すると便利である。
【符号の説明】
【００２０】
１０、２０、３０  消臭及び芳香機構付き靴
１２、２２、３２  かかと部（ヒール）
１４、２４、３４  空洞
１６、２６  クッション材
３６  ピン
１８、２８、３８  消臭剤入り容器
【図１】
2014014540.tif 000003
【図２】
2014014540.tif 000004
【図３】
2014014540.tif 000005
【図４】
2014014540.tif 000006